(57)【要約】      （修正有）【課題】ワイヤレス電力伝送用の特定周波数の電波を効率良く受信することができ、蓄電手段を効率良く充電できる電波修正時計を提供する。【解決手段】電波修正時計１０は、標準電波および充電用電波を受信するアンテナ２０と、アンテナ２０の同調周波数を、標準電波用周波数と充電用周波数とに切り換える同調切換部３０と、アンテナ２０で受信した標準電波を処理して時刻情報を出力する標準電波受信回路部５０と、アンテナ２０で受信した充電用電波を整流して昇圧する整流昇圧部４０と、整流昇圧部４０から出力される電力を蓄積する蓄電部と、同調周波数を標準電波用周波数に切り換え、同調切換部の出力先を標準電波受信回路部５０に設定する時刻受信モード、および、同調周波数を充電用周波数に切り換え、同調切換部の出力先を整流昇圧部４０に設定する充電モードを有する制御回路部６０と、を備える。【選択図】図３
2020071039.tif 000002
【特許請求の範囲】
【請求項１】
時刻情報を含む標準電波および電力伝送用の充電用電波を受信するアンテナと、
前記アンテナの同調周波数を、標準電波用周波数と、前記標準電波用周波数とは異なる充電用周波数とに切り換える同調切換部と、
前記アンテナで受信した前記標準電波を処理して前記時刻情報を出力する標準電波受信回路部と、
前記アンテナで受信した前記充電用電波を整流して昇圧する整流昇圧部と、
前記整流昇圧部から出力される電力を蓄積する蓄電部と、
前記同調周波数を前記標準電波用周波数に切り換え、前記同調切換部の出力先を前記標準電波受信回路部に設定する時刻受信モード、および、前記同調周波数を前記充電用周波数に切り換え、前記同調切換部の出力先を前記整流昇圧部に設定する充電モードを有する制御回路部と、
を備えることを特徴とする電波修正時計。
【請求項２】
請求項１に記載の電波修正時計において、
前記標準電波の受信処理を実行する受信時刻を記憶する受信時刻記憶部を備え、
前記制御回路部は、
前記受信時刻記憶部に記憶された受信時刻になると前記時刻受信モードを実行し、
前記時刻受信モードが実行されていない場合は前記充電モードを実行する
ことを特徴とする電波修正時計。
【請求項３】
請求項１または請求項２に記載の電波修正時計において、
前記時刻受信モードの実行操作を行う外部操作部材を備え、
前記制御回路部は、
前記外部操作部材によって前記時刻受信モードの実行操作が行われた場合は、前記時刻受信モードを実行し、
前記時刻受信モードが実行されていない場合は、前記充電モードを実行する
ことを特徴とする電波修正時計。
【請求項４】
請求項１から請求項３のいずれか一項に記載の電波修正時計において、
複数の前記充電用周波数を記憶する充電情報記憶部を備え、
前記制御回路部は、
前記充電モードの実行時に、前記充電情報記憶部に記憶された複数の前記充電用周波数を順次切り換えて充電状態を検出し、
検出した前記充電状態が予め設定した条件に該当する前記充電用周波数を、前記同調周波数に設定する
ことを特徴とする電波修正時計。
【請求項５】
請求項１から請求項３のいずれか一項に記載の電波修正時計において、
前記充電用周波数を記憶する充電情報記憶部を備え、
前記制御回路部は、
前記充電モードの実行時の充電状態が予め設定した条件に該当する前記充電用周波数を、前記充電情報記憶部に記憶し、
次に前記充電モードが実行された場合は、前記同調周波数を、前記充電情報記憶部に記憶された前記充電用周波数に切り換える
ことを特徴とする電波修正時計。
【請求項６】
請求項１から請求項３のいずれか一項に記載の電波修正時計において、
前記充電用周波数を記憶する充電情報記憶部を備え、
前記制御回路部は、
前記充電モードの実行時の充電状態が予め設定した条件に該当した場合に、前記充電モードの実行時刻と前記充電用周波数とが対応付けられた充電結果を前記充電情報記憶部に記憶し、
前記実行時刻になった場合は、前記同調周波数を、前記実行時刻に対応する前記充電用周波数に切り換える
ことを特徴とする電波修正時計。
【請求項７】
請求項１から請求項６のいずれか一項に記載の電波修正時計において、
前記制御回路部は、制御モードとして休止モードを有し、
前記制御回路部は、
前記休止モードを実行した場合は、前記標準電波受信回路部および前記整流昇圧部の動作を停止する
ことを特徴とする電波修正時計。
【請求項８】
請求項７に記載の電波修正時計において、
前記制御回路部は、
前記充電モードを実行しても充電できない期間が予め設定した判定期間以上になった場合は、前記休止モードを実行する
ことを特徴とする電波修正時計。
【請求項９】
請求項７または請求項８に記載の電波修正時計において、
前記休止モードの実行操作を行う外部操作部材を備え、
前記制御回路部は、
前記外部操作部材によって前記休止モードの実行操作が行われた場合は、前記休止モードを実行する
ことを特徴とする電波修正時計。
【請求項１０】
請求項１から請求項９のいずれか一項に記載の電波修正時計において、
前記蓄電部に電力を供給する太陽電池を備える
ことを特徴とする電波修正時計。
【請求項１１】
請求項１０に記載の電波修正時計において、
前記蓄電部への充電を制御する電源制御回路部を有し、
前記電源制御回路部は、前記太陽電池から供給される電力が所定値以上の場合には、前記整流昇圧部を介した充電を停止する
ことを特徴とする電波修正時計。
【請求項１２】
請求項１から請求項１１のいずれか一項に記載の電波修正時計において、
前記充電モードの実行中であることを表示する充電モード表示部を備える
ことを特徴とする電波修正時計。
【発明の詳細な説明】
【技術分野】
【０００１】
本開示は、電波修正時計に関する。
【背景技術】
【０００２】
現在時刻を表すタイムコードを含む標準電波を受信して時刻を修正する電波時計等の通信装置において、標準電波受信用のアンテナを利用して、空中を飛来している電磁波を受電し、蓄電手段を充電するものが知られている（特許文献１参照）。
前記通信装置は、信号受信モードと受電モードとを切り替える切り替え制御手段を備える。切り替え制御手段は、受電モードでは、アンテナ同調手段のコンデンサーをアンテナより切り離し、アンテナのみで空中を飛来している電磁波を受電し、昇圧回路及び整流回路によって構成された昇圧整流手段を経て蓄電手段を充電している。
【先行技術文献】
【特許文献】
【０００３】
【特許文献１】特開２００９−１６５３２５号公報
【発明の概要】
【発明が解決しようとする課題】
【０００４】
前記通信装置では、不特定多数の電磁波を受電して充電するために、受電モードにおいてアンテナ同調手段のコンデンサーを切り離してアンテナのみで電磁波を受電しているので、ワイヤレス充電用の特定周波数の電波を効率良く受信することができず、その結果、蓄電手段を効率良く充電できないという課題がある。
【課題を解決するための手段】
【０００５】
本開示の電波修正時計は、時刻情報を含む標準電波および電力伝送用の充電用電波を受信するアンテナと、前記アンテナの同調周波数を、標準電波用周波数と、前記標準電波用周波数とは異なる充電用周波数とに切り換える同調切換部と、前記アンテナで受信した前記標準電波を処理して前記時刻情報を出力する標準電波受信回路部と、前記アンテナで受信した前記充電用電波を整流して昇圧する整流昇圧部と、前記整流昇圧部から出力される電力を蓄積する蓄電部と、前記同調周波数を前記標準電波用周波数に切り換え、前記同調切換部の出力先を前記標準電波受信回路部に設定する時刻受信モード、および、前記同調周波数を前記充電用周波数に切り換え、前記同調切換部の出力先を前記整流昇圧部に設定する充電モードを有する制御回路部と、を備える。
【０００６】
本開示の電波修正時計は、前記標準電波の受信処理を実行する受信時刻を記憶する受信時刻記憶部を備え、前記制御回路部は、前記受信時刻記憶部に記憶された受信時刻になると前記時刻受信モードを実行し、前記時刻受信モードが実行されていない場合は前記充電モードを実行することが好ましい。
【０００７】
本開示の電波修正時計は、前記時刻受信モードの実行操作を行う外部操作部材を備え、前記制御回路部は、前記外部操作部材によって前記時刻受信モードの実行操作が行われた場合は、前記時刻受信モードを実行し、前記時刻受信モードが実行されていない場合は、前記充電モードを実行してもよい。
【０００８】
本開示の電波修正時計は、複数の前記充電用周波数を記憶する充電情報記憶部を備え、前記制御回路部は、前記充電モードの実行時に、前記充電情報記憶部に記憶された複数の前記充電用周波数を順次切り換えて充電状態を検出し、検出した前記充電状態が予め設定した条件に該当する前記充電用周波数を、前記同調周波数に設定してもよい。
【０００９】
本開示の電波修正時計は、前記充電用周波数を記憶する充電情報記憶部を備え、前記制御回路部は、前記充電モードの実行時の充電状態が予め設定した条件に該当する前記充電用周波数を、前記充電情報記憶部に記憶し、次に前記充電モードが実行された場合は、前記同調周波数を、前記充電情報記憶部に記憶された前記充電用周波数に切り換えてもよい。
【００１０】
本開示の電波修正時計は、前記充電用周波数を記憶する充電情報記憶部を備え、前記制御回路部は、前記充電モードの実行時の充電状態が予め設定した条件に該当した場合に、前記充電モードの実行時刻と前記充電用周波数とが対応付けられた充電結果を前記充電情報記憶部に記憶し、前記実行時刻になった場合は、前記同調周波数を、前記実行時刻に対応する前記充電用周波数に切り換えてもよい。
【００１１】
本開示の電波修正時計において、前記制御回路部は、制御モードとして休止モードを有し、前記制御回路部は、前記休止モードを実行した場合は、前記標準電波受信回路部および前記整流昇圧部の動作を停止してもよい。
【００１２】
本開示の電波修正時計において、前記制御回路部は、前記充電モードを実行しても充電できない期間が予め設定した判定期間以上になった場合は、前記休止モードを実行してもよい。
【００１３】
本開示の電波修正時計は、前記休止モードの実行操作を行う外部操作部材を備え、前記制御回路部は、前記外部操作部材によって前記休止モードの実行操作が行われた場合は、前記休止モードを実行してもよい。
【００１４】
本開示の電波修正時計は、前記蓄電部に電力を供給する太陽電池を備えていてもよい。
【００１５】
本開示の電波修正時計は、前記蓄電部への充電を制御する電源制御回路部を有し、前記電源制御回路部は、前記太陽電池から供給される電力が所定値以上の場合には、前記整流昇圧部を介した充電を停止してもよい。
【００１６】
本開示の電波修正時計は、前記充電モードの実行中であることを表示する充電モード表示部を備えていてもよい。
【図面の簡単な説明】
【００１７】
【図１】電波修正時計の使用状態の一例を説明する図である。
【図２】前記電波修正時計を示す正面図である。
【図３】前記電波修正時計の構成を示すブロック図である。
【図４】前記電波修正時計の同調切換部の構成を示す回路図である。
【図５】前記同調切換部の同調制御の設定例を示す図である。
【図６】前記電波修正時計の制御回路部の構成を示すブロック図である。
【図７】充電用電波の周波数と漏洩電界レベルとの関係の一例を示すグラフである。
【図８】前記電波修正時計の充電用電波の受信動作を示すフローチャートである。
【図９】前記電波修正時計の充電用電波サーチ処理を示すフローチャートである。
【図１０】前記電波修正時計の標準電波受信動作を示すフローチャートである。
【発明を実施するための形態】
【００１８】
以下、実施形態について図面を参照して説明する。
本実施形態の電波修正時計１０は、図１に示すように、長波帯標準電波施設のアンテナ１から送信される標準電波を受信して表示時刻を修正する時刻受信モードを備える時計である。また、電波修正時計１０は、送電器２から送信される電力伝送用の充電用電波を受信して二次電池を充電するワイヤレス充電機能つまり充電モードを備えている。
なお、本実施形態では、送電器２と電波修正時計１０とは磁界共振方式で電力伝送を行い、送電器２は送電側の磁気共振器となるコイルを内蔵している。
【００１９】
電波修正時計１０は、図２に示すように、第１時刻を指示する時針１１、分針１２、秒針１３と、第２時刻を指示する時針１４、分針１５と、充電用電波による充電レベルを指示するインジケーター針１６とを備える。第１時刻は、例えば、ローカルタイムであり、第２時刻は、例えば、ホームタイムである。ローカルタイムは、標準電波を受信して修正される現在地の時刻である。ホームタイムは、第１時刻に対して選択された時差の時刻であり、旅行などで外国に移動している場合に、母国の時刻を表示するように設定することが多い。
【００２０】
図３は、電波修正時計１０のブロック図である。電波修正時計１０は、アンテナ２０、同調切換部３０、整流昇圧部４０、ソーラーパネル４１、電源制御回路部４２、蓄電部である二次電池４３、標準電波受信回路部５０、制御回路部６０、表示駆動回路部７０、表示部８０、針位置検出回路９０、外部操作部材１００を備える。
アンテナ２０は、コア２１とコイル２２とを備え、長波の電波を受信可能なバーアンテナである。本実施形態のアンテナ２０は、時刻情報を含む標準電波および充電用電波を受信可能に構成されている。コイル２２は、送電器２から充電用電波が送信されている場合は、受電側の磁気共振器として機能する。
【００２１】
同調切換部３０は、アンテナ２０の同調周波数を、標準電波用周波数と、標準電波用周波数とは異なる充電用周波数とに切り換えるものである。具体的に、同調切換部３０は、図４に示すように、同調回路３１と、切換回路３６とを備える。同調回路３１は、アンテナ２０で受信する電波の周波数を所定周波数に同調させる回路であり、コンデンサー３２Ａ、３２Ｂと、複数のコンデンサー３３Ａ〜３３Ｆを備えるコンデンサーアレイと、各コンデンサー３２Ａ、３２Ｂ、３３Ａ〜３３Ｆをアンテナ２０のコイル２２に並列に接続するスイッチ３４Ａ、３４Ｂ、３５Ａ〜３５Ｆとを備える。
コンデンサー３３Ａ〜３３Ｆおよびスイッチ３５Ａ〜３５Ｆは、制御回路部６０等を構成するＩＣ内に組み込まれている。
コンデンサー３２Ａ、３２Ｂおよびスイッチ３４Ａ、３４Ｂは、ＩＣに対して外付けされた素子である。このため、コンデンサー３２Ａ、３２Ｂは、ＩＣ内のコンデンサー３３Ａ〜３３Ｆに比べて容量が大きなコンデンサーを設けることができる。
各スイッチ３４Ａ、３４Ｂ、３５Ａ〜３５Ｆは、制御回路部６０によって制御される。制御回路部６０は、図５に示すように、スイッチ３４Ａ、３４Ｂのオン、オフを制御し、アンテナ２０の同調周波数を４つの範囲に粗調整する。図５において、「tuning frequency」の列は、設定される同調周波数の範囲であり、「Ａ」の列はスイッチ３４Ａの状態であり、「Ｂ」の列はスイッチ３４Ｂの状態である。制御回路部６０がスイッチ３４Ａおよびスイッチ３４Ｂをオンに設定した場合、コンデンサー３２Ａ、３２Ｂはコイル２２に並列に接続され、アンテナ２０の同調周波数は２０ｋＨｚ〜３０ｋＨｚの範囲に設定される。制御回路部６０がスイッチ３４Ａをオン、スイッチ３４Ｂをオフに設定した場合、コンデンサー３２Ａはコイル２２に並列に接続され、アンテナ２０の同調周波数は３０ｋＨｚ〜５０ｋＨｚの範囲に設定される。制御回路部６０がスイッチ３４Ａをオフ、スイッチ３４Ｂをオンに設定した場合、コンデンサー３２Ｂはコイル２２に並列に接続され、アンテナ２０の同調周波数は５０ｋＨｚ〜７０ｋＨｚの範囲に設定される。スイッチ３４Ａおよびスイッチ３４Ｂがオフ状態の場合、コンデンサー３２Ａ、３２Ｂはコイル２２から切り離され、アンテナ２０での同調周波数は７０ｋＨｚ〜１００ｋＨｚの範囲に設定される。
ＩＣ内のコンデンサー３３Ａ〜３３Ｆは、コンデンサー３２Ａ、３２Ｂに比べて容量が小さなコンデンサーであり、アンテナ２０の同調周波数を微調整するために用いられる。制御回路部６０は、スイッチ３４Ａ、３４Ｂのオン、オフ状態を設定して同調周波数の範囲を設定し、さらにスイッチ３５Ａ〜３５Ｆのオン、オフ状態を設定することで、同調周波数を微調整する。
したがって、本実施形態のアンテナ２０は、少なくとも２０〜１００ｋＨｚの長波帯の電波を受信可能に構成されている。
【００２２】
切換回路３６は、図４に示すように、制御回路部６０から出力される制御信号によって連動して切り換えられる第１スイッチ３６１および第２スイッチ３６２を備える。制御回路部６０は、第１スイッチ３６１および第２スイッチ３６２を制御し、同調回路３１の出力先つまりアンテナ２０で受信した信号の出力先を、整流昇圧部４０と、標準電波受信回路部５０とに切り換える。
【００２３】
整流昇圧部４０は、整流回路および昇圧回路を備え、アンテナ２０で受信した充電用電波を整流して昇圧する。整流回路は、コイル２２で受電した交流電流を直流電流に変換する全波整流回路などの一般的な整流回路である。昇圧回路も、ＤＣ−ＤＣコンバーターなどを用いた一般的な昇圧回路である。制御回路部６０は、切換回路３６の出力先を標準電波受信回路部５０に切り替えた場合は、整流昇圧部４０の動作を停止する。整流昇圧部４０の動作を停止するとは、前記整流回路や昇圧回路を動作させるための電源供給用のスイッチをオフすることである。
ソーラーパネル４１は、電波修正時計１０の透光性の文字板の裏面側に配置され、文字板を通過した光で発電する時計において一般的な太陽電池である。
【００２４】
電源制御回路部４２は、蓄電部である二次電池４３への充電を制御する回路である。電源制御回路部４２は、整流昇圧部４０から出力される直流電流と、ソーラーパネル４１から出力される直流電流とを二次電池４３に充電する制御を行う。また、電源制御回路部４２は、二次電池４３への充電電圧つまり充電レベルを検出する充電電圧検出部と、二次電池４３の電圧を検出する電源電圧検出部としても機能する。充電電圧検出部は、主に整流昇圧部４０から出力される電流の電圧を検出し、充電用電波の受信状態を判定するために設けられている。
電源制御回路部４２は、電源電圧検出部で検出される二次電池４３の電圧が上昇して過充電防止レベル以上になった場合は二次電池４３への充電を禁止し、二次電池４３の過充電を防止する。さらに、電源制御回路部４２は、二次電池４３の電圧が低下した場合は制御回路部６０に電圧低下を通知する。制御回路部６０は、二次電池４３の電圧が低下した場合は、標準電波受信回路部５０を制御して標準電波の受信処理を禁止したり、表示駆動回路部７０を制御して指針１１〜１５の運針を停止するなど、電源電圧低下時の動作制御を行ってもよい。
【００２５】
さらに、電源制御回路部４２は、ソーラーパネル４１から供給される電力が予め設定した所定値以上の場合は、その旨を制御回路部６０に通知し、制御回路部６０は、ソーラーパネル４１による充電を優先し、アンテナ２０を介したワイヤレス充電を停止するため、同調切換部３０、整流昇圧部４０に制御信号を出力する。
電波修正時計１０は腕時計であるため、内蔵するアンテナ２０のサイズも制約があり、あまり大きなアンテナ２０を組み込むことができない。このため、電波修正時計１０に組み込まれるソーラーパネル４１の発電電力に比べると、アンテナ２０を用いて伝送される電力は小さい。このため、ソーラーパネル４１による充電が行われている場合は、アンテナ２０を利用したワイヤレス充電を実行する必要はない。すなわち、アンテナ２０を用いたワイヤレス充電は、電波修正時計１０がソーラーパネル４１による発電が行えない環境にある場合、例えば夜間とか引出しに時計を入れたときなどで日光や照明などの光がソーラーパネル４１に照射されていない場合に適した充電方式である。
【００２６】
標準電波受信回路部５０は、アンテナ２０で受信した標準電波を処理して時刻情報を出力する。このため、標準電波受信回路部５０は、制御回路部６０から出力される制御信号によって制御され、アンテナ２０で受信した標準電波の受信信号を復調して得られたタイムコードを制御回路部６０に出力する。なお、図６において、ＴＣＯとは、Time Code Outつまりタイムコード出力を意味する。制御回路部６０は、切換回路３６の出力先を整流昇圧部４０に切り替えた場合は、標準電波受信回路部５０の動作を停止する。標準電波受信回路部５０の動作を停止するとは、標準電波受信回路部５０の各回路を動作させるための電源供給用のスイッチをオフすることである。
表示駆動回路部７０は、表示部８０を駆動するものである。表示部８０は、各指針１１〜１６と、各指針１１〜１６を駆動する図示しない複数のステップモーターおよび複数の輪列を備える。表示駆動回路部７０は、各ステップモーターに対して駆動信号を出力し、ステップモーターによって駆動される輪列を介して各指針１１〜１６を駆動する。
針位置検出回路９０は、少なくとも時針１１、分針１２、時針１４、分針１５の針位置を検出する回路であり、発光素子および受光素子等を用いた従来から用いられている回路である。
外部操作部材１００は、図２にも示すように、電波修正時計１０のユーザーが操作可能なりゅうず１０１と、ボタン１０２、１０３とを備えて構成される。
【００２７】
制御回路部６０は、図６に示すように、ＴＣＯデコード部６１と、データ記憶部６２と、発振回路６３と、中央制御部６４とを備える。中央制御部６４は、時刻カウンター６５を内蔵する。そして、制御回路部６０は、アンテナ２０の同調周波数を標準電波用周波数に切り換え、同調切換部３０の出力先を標準電波受信回路部５０に設定する時刻受信モードと、アンテナ２０の同調周波数を充電用周波数に切り換え、同調切換部３０の出力先を整流昇圧部４０に設定する充電モードとを実行するように構成されている。
ＴＣＯデコード部６１は、標準電波受信回路部５０から入力されるＴＣＯ信号をデコードして、当該ＴＣＯ信号に含まれる日付情報および時刻情報等を有する時刻データを取得する。そして、ＴＣＯデコード部６１は、取得した時刻データを中央制御部６４に出力する。
【００２８】
データ記憶部６２は、標準電波の受信処理を実行する受信時刻を記憶する受信時刻記憶部６２１と、充電用周波数等の充電情報を記憶する充電情報記憶部６２２とを備える。
受信時刻記憶部６２１には、標準電波の受信処理を実行する定時受信時刻が記憶されている。この定時受信時刻は、午前２時などの予め設定された時刻を記憶してもよいし、ユーザーの手動受信操作によって受信処理が行われ、時刻情報の取得に成功した時刻を記憶してもよいし、これらの２種類の時刻を記憶してもよい。また、予め設定された時刻および受信成功時刻はそれぞれ複数個記憶してもよい。
充電情報記憶部６２２には、アンテナ２０を介したワイヤレス充電を実行した際に、充電状態が良好であった場合の充電条件、具体的には充電処理が行われた時刻と、設定された同調周波数とが記憶されている。
発振回路６３は、水晶振動子６３１を発振させ、水晶振動子６３１から入力される信号を分周して得られるクロック信号を中央制御部６４に出力する。
【００２９】
中央制御部６４は、時刻受信モードおよび充電モードの各処理と、表示部８０の表示駆動処理などの各種制御処理を実施する。また、中央制御部６４の時刻カウンター６５は、発振回路６３から入力されるクロック信号に基づいて、内部時刻をカウントする。時刻カウンター６５の値は、ＴＣＯデコード部６１から時刻データが出力された場合には、その時刻データによって更新される。
中央制御部６４は、表示駆動回路部７０を介して表示部８０の表示制御処理を実行する。中央制御部６４は、所定時刻、たとえば０時０分になった場合や、電池交換などでシステムが初期化された場合に、針位置検出回路９０に対して針位置検出処理の実行を指示する。針位置検出回路９０は、一部の指針、具体的には時針１１、分針１２の針位置を検出し、その検出結果を中央制御部６４に出力する。
中央制御部６４は、電源制御回路部４２から入力される二次電池４３の電圧やソーラーパネル４１の発電量に基づいて、充電制御処理や、表示駆動回路部７０による表示制御処理を実施する。
【００３０】
図７は、本実施形態で用いられている送電器２のワイヤレス電力伝送システムで規定されている漏洩電界レベルの限度値の一例である。図７では、伝送電力は１．５ｋＷ、使用周波数は日本の長波標準電波で４０ｋＨｚおよび６０ｋＨｚを使用している点を考慮し、２０．０５〜３８ｋＨｚ、４２〜５８ｋＨｚ、６２〜１００ｋＨｚに設定している。送電器２から３０ｍ離れた地点での漏洩電界レベルの限度値は、１ｍＶ／ｍ＝６０ｄＢμＶ／ｍである。
【００３１】
次に、電波修正時計１０における電波受信制御処理について図８を参照して説明する。
なお、図８に示す電波受信制御処理は、制御回路部６０の中央制御部６４が実行する。中央制御部６４は、ユーザーによる外部操作部材１００によるボタン操作を検出した場合に電波受信制御処理を実行してもよいし、二次電池４３の電圧レベルが所定の閾値以下に低下した場合にはユーザー指示に基づかずに自動で電波受信制御処理を実行してもよい。さらには、ボタン操作や電圧レベルに関係無く、中央制御部６４は、電波受信制御処理を常時実行してもよい。
中央制御部６４は、電波受信制御処理を開始すると、ステップＳ１で標準電波の受信処理中であるか否かを判定する。中央制御部６４は、ステップＳ１でＹＥＳと判定した場合は、標準電波の受信処理が終了するまで、ステップＳ１の判定を継続する。
【００３２】
中央制御部６４は、ステップＳ１でＮＯと判定した場合は、ステップＳ２でワイヤレス充電のスタンバイ処理を実行する。すなわち、中央制御部６４は、同調切換部３０に制御信号を出力し、切換回路３６の第１スイッチ３６１、第２スイッチ３６２を整流昇圧部４０に接続する。これにより、アンテナ２０および同調回路３１は整流昇圧部４０に接続し、アンテナ２０で受信した信号は整流昇圧部４０で処理される。
【００３３】
次に、中央制御部６４の中央制御部６４は、ステップＳ３で充電情報記憶部６２２を参照して同調周波数の設定があるか否かを判定する。
中央制御部６４は、ステップＳ３でＹＥＳと判定した場合、ステップＳ４を実行し、同調回路３１に制御信号を出力して各スイッチ３４Ａ、３４Ｂ、３５Ａ〜３５Ｆのオン、オフを制御し、同調回路３１の設定を、充電情報記憶部６２２に記憶されている同調周波数に設定する。
次に、中央制御部６４は、ステップＳ５を実行し、設定した同調周波数によるワイヤレス充電動作を実行する。ワイヤレス充電動作では、アンテナ２０が充電用電波を受信すれば、整流昇圧部４０で直流に整流され、さらに昇圧されて電源制御回路部４２に出力され、電源制御回路部４２から二次電池４３に充電される。この際、中央制御部６４は、電源制御回路部４２から出力される充電レベルに応じてインジケーター針１６を動かし、ワイヤレス充電の充電レベルをユーザーが確認できるようにしている。したがって、インジケーター針１６は、充電モードの実行中であることを表示する充電モード表示部として機能する。
【００３４】
次に、中央制御部６４は、ステップＳ６を実行し、電源制御回路部４２から出力される充電レベルを予め設定されている閾値と比較し、充電レベルが閾値以上であるか否か、つまり充電状態が予め設定した条件に該当するか否かを判定する。
中央制御部６４は、ステップＳ６でＹＥＳと判定した場合、ステップＳ７を実行し、時刻カウンター６５によって計時されている現在時刻が、受信時刻記憶部６２１に記憶された定時受信時刻になったか否かを判定する。
中央制御部６４は、ステップＳ７でＹＥＳと判定した場合は、ステップＳ２０の標準電波受信処理を実行する。標準電波受信処理については後述する。
中央制御部６４は、ステップＳ７でＮＯと判定した場合は、ステップＳ５のワイヤレス充電動作を継続する。
【００３５】
一方、中央制御部６４は、ステップＳ３でＮＯと判定した場合と、ステップＳ６でＮＯと判定した場合は、ステップＳ１０の充電用電波サーチ処理を実行する。
中央制御部６４は、充電用電波サーチ処理を実行すると、図９に示すように、ステップＳ１１を実行し、同調回路３１に制御信号を出力して各スイッチ３４Ａ、３４Ｂ、３５Ａ〜３５Ｆのオン、オフを制御し、同調コンデンサーを切り換えて同調周波数をサーチする処理を実行する。
アンテナ２０が充電用電波を受信すれば、整流昇圧部４０で直流に整流され、さらに昇圧されて電源制御回路部４２に出力され、電源制御回路部４２から二次電池４３に充電される。
このため、中央制御部６４は、ステップＳ１２を実行し、電源制御回路部４２から出力される充電レベルを予め設定されている閾値と比較し、充電レベルが閾値以上であるか否か、つまり充電状態が予め設定した条件に該当するか否かを判定する。
【００３６】
中央制御部６４は、ステップＳ１２でＮＯと判定した場合は、ステップＳ１３を実行し、充電用電波サーチ処理を開始してから予め設定された所定時間を経過したか否かを判定する。ステップＳ１３は、充電用電波を受信できない環境で、周波数サーチ処理が継続し続けることを防止するための判定である。
中央制御部６４は、ステップＳ１３でＮＯと判定した場合は、ステップＳ１１の処理に戻り、同調コンデンサーを切り換えて同調周波数を変更してサーチし、ステップＳ１２でＹＥＳと判定するまで、ステップＳ１２、Ｓ１３を順次実行する。
中央制御部６４は、ステップＳ１３でＹＥＳと判定した場合は、現在の環境では充電用電波を受信できないと判定し、ステップＳ１４を実行して周波数サーチを停止し、ステップＳ１５でワイヤレス充電処理を終了する。この場合は、ワイヤレス充電処理の開始条件に該当するまで、図８に示すワイヤレス充電処理を実行しない。ワイヤレス充電処理の開始条件としては、例えば、ユーザーがワイヤレス充電処理を開始するボタン操作を行った場合や、二次電池４３の電圧が閾値以下に低下した場合や、ワイヤレス充電処理を終了してから一定時間、例えば、２４時間が経過した場合など、実施にあって適宜設定できる。
【００３７】
一方、中央制御部６４は、ステップＳ１２でＹＥＳと判定した場合は、ステップＳ１６を実行し、現在設定されている同調周波数を充電情報記憶部６２２に記憶する。すなわち、ステップＳ１２で、充電状態が予め設定した条件に該当すると判定した同調周波数を、充電用周波数として充電情報記憶部６２２に記憶する。なお、同調周波数の記憶データとしては、同調周波数の代わりに、同調回路３１の各スイッチのオン、オフ状態を記憶してもよい。
ステップＳ１６で同調周波数のデータを記憶した場合は、次にステップＳ３の判定を行った場合に、周波数設定ありと判定される。
中央制御部６４は、ステップＳ１６を実行後、ステップＳ１７により、充電用電波サーチ処理を終了する。この場合、充電用電波サーチ処理で同調周波数が設定されているため、中央制御部６４は、図８に示すように、ステップＳ５のワイヤレス充電動作を実行する。
【００３８】
ステップＳ１１での周波数サーチの具体的な方法は、（１）粗サーチから詳細サーチを行う方法、（２）詳細サーチのみを行う方法、（３）受信環境を予測してサーチする方法、（４）１つの充電用周波数が充電情報記憶部６２２に記憶されている場合に行う方法、（５）複数の充電用周波数が充電情報記憶部６２２に記憶されている場合に行う方法、などの様々な方法から選択された方法が実行される。以下、各方法について例示する。
（１）粗サーチから詳細サーチを行う方法
中央制御部６４は、最初に、ある程度大きな周波数間隔で同調周波数を変更する粗サーチを行う。例えば、本実施形態では、中央制御部６４は、図５に示すように、ＩＣに外付けされるコンデンサー３２Ａ、３２Ｂに接続されるスイッチ３４Ａ、３４Ｂのオン、オフを切り換えることで、同調周波数を４つの周波数範囲に変更できる。このため、中央制御部６４は、ＩＣ内のコンデンサー３３Ａ〜３３Ｆに接続されるスイッチ３５Ａ〜３５Ｆの設定を、例えば、約半数のスイッチをオンし、残りをオフすることなどで、図５の周波数範囲のほぼ中央値となるように設定する。そして、中央制御部６４は、スイッチ３４Ａ、３４Ｂのオン、オフを順次切り換えて、同調周波数を、例えば、２４ｋＨｚ、４０ｋＨｚ、６０ｋＨｚ、８５ｋＨｚ等に４段階に切り換える。
これらの４段階の周波数において、充電レベルが閾値以上となる周波数があれば、中央制御部６４はその周波数を同調周波数として設定する。一方、４段階の周波数において、充電レベルが閾値以上となる周波数が無い場合、中央制御部６４は、最も充電レベルが高い周波数を判定し、スイッチ３４Ａ、３４Ｂのオン、オフ状態をその周波数に対応して設定する。すなわち、アンテナ２０を用いたワイヤレス充電では、同調回路３１で設定される同調周波数が、送電器２から送信される充電用電波の周波数と完全に一致しなくても、二次電池４３に充電することができる。この際、アンテナ２０の同調周波数と、充電用電波の周波数とのずれ量が小さいほど充電レベルは高くなり、ずれ量が大きいほど充電レベルは低くなる。したがって、前記４段階の周波数において、最も充電レベルが高い周波数が充電用電波の周波数に最も近い可能性が高いため、その周囲の周波数の詳細サーチを行うことで、充電レベルが閾値以上となる可能性も高くなる。このため、中央制御部６４は、スイッチ３４Ａ、３４Ｂの状態は変更せずに、スイッチ３５Ａ〜３５Ｆの状態を切り換えることで、同調周波数をスイッチ３４Ａ、３４Ｂで設定された周波数の前後の範囲で、例えば１〜５ｋＨｚ程度の小さい周波数間隔で変更する詳細サーチを行う。この詳細サーチにおいて、充電レベルが閾値以上となる周波数があれば、その周波数を同調周波数として設定する。
一方、詳細サーチにおいて、充電レベルが閾値以上となる周波数がなければ、中央制御部６４は、スイッチ３４Ａ、３４Ｂのオン、オフ状態を、粗サーチ時に次に充電レベルが高い周波数であった状態に設定し、その周波数範囲で詳細サーチを行う。このように、中央制御部６４は、スイッチ３４Ａ、３４Ｂによる周波数範囲の切り換えと、スイッチ３５Ａ〜３５Ｆによる詳細サーチとを順次組み合わせることで、効率的に同調周波数をサーチできる。
したがって、充電用電波を受信可能な環境に電波修正時計１０が配置されていれば、アンテナ２０の受信電波の周波数を、充電用電波の周波数に同調させることができる。
【００３９】
（２）詳細サーチのみを行う方法
中央制御部６４が、最初から１〜５ｋＨｚ程度の小さい周波数間隔で同調周波数を変更する方法である。すなわち、中央制御部６４は、ＩＣに外付けされるスイッチ３４Ａ、３４Ｂの設定を図５に示す４種類の組み合わせのうちの１つ、例えば両方のスイッチともオンに設定後、他のスイッチ３５Ａ〜３５Ｆの設定を順次切り換えて同調周波数を変更する。これらの同調周波数の変更中に、充電レベルが閾値以上となる周波数があれば、その周波数を同調周波数として設定する。
一方、充電レベルが閾値以上となる周波数がなければ、スイッチ３４Ａ、３４Ｂの設定を次の組み合わせ、例えば、スイッチ３４Ａをオン、スイッチ３４Ｂをオフに設定後、他のスイッチ３５Ａ〜３５Ｆの設定を順次切り換えて同調周波数を変更する。これらの同調周波数の変更中に、充電レベルが閾値以上となる周波数があれば、その周波数を同調周波数として設定する。
中央制御部６４は、同様の処理を、スイッチ３４Ａ、３４Ｂの設定を変更して繰り返すことで、スイッチ３４Ａ、３４Ｂで設定される４種類の周波数範囲のそれぞれで順次詳細サーチを実行できる。したがって、充電用電波を受信可能な環境に電波修正時計１０が配置されていれば、アンテナ２０の受信電波の周波数を、充電用電波の周波数に同調させることができる。
【００４０】
（３）受信環境を予測してサーチする方法
例えば、中央制御部６４は、標準電波受信回路部５０を備えているため、標準電波の受信履歴から、現在、滞在している国や地域を判断できる場合がある。そして、送電器２による充電用電波の周波数が、国毎に設定されている場合には、現在地の周波数を優先してサーチしてもよい。この場合は、短時間で充電用電波を受信できる可能性が高まる。
【００４１】
（４）１つの充電用周波数が充電情報記憶部６２２に記憶されている場合に行う方法
充電情報記憶部６２２に１つの充電用周波数が記憶されている場合は、ステップＳ３でＹＥＳと判定され、ステップＳ４、Ｓ５を実行してステップＳ６でＮＯと判定された場合に、ステップＳ１０の処理が実行される。すなわち、前記充電用周波数をアンテナ２０の同調周波数に設定してワイヤレス充電動作を行っても、充電レベルが閾値以上にならなかった場合である。
このため、ステップＳ１０では、中央制御部６４は、充電情報記憶部６２２に記憶されている１つの充電用周波数を除いて、他の周波数をサーチすればよい。
他の周波数をサーチする方法は、前記（１）、（２）の方法等を適宜採用すればよい。また、充電情報記憶部６２２に記憶される充電用周波数は、直近でワイヤレス充電処理時に閾値を超えた周波数を記憶してもよいし、電波修正時計１０の工場出荷時にワイヤレス充電の規格に基づいて周波数を記憶してもよい。
【００４２】
（５）複数の充電用周波数が充電情報記憶部６２２に記憶されている場合に行う方法
充電情報記憶部６２２に複数の充電用周波数が記憶されている場合も、ステップＳ３でＹＥＳと判定され、ステップＳ４、Ｓ５が実行される。そして、ステップＳ６でＮＯと判定された場合、ステップＳ１０では、充電情報記憶部６２２に記憶されている複数の充電用周波数をアンテナ２０の同調周波数として順次切り換えて充電レベルが閾値以上となるかを判定し、閾値以上にならなかった場合は、充電情報記憶部６２２に記憶されている複数の充電用周波数を除いて、他の周波数をサーチすればよい。
他の周波数をサーチする方法は、前記（４）の場合と同じく、（１）、（２）の方法等を適宜採用すればよい。また、充電情報記憶部６２２に記憶される複数の充電用周波数は、過去のワイヤレス充電処理時に閾値を超えた周波数を記憶してもよいし、電波修正時計１０の工場出荷時にワイヤレス充電の規格に基づいて周波数を記憶してもよい。
【００４３】
なお、充電用電波のサーチ方法は、前記（１）〜（５）の方法に限定されない。例えば、曜日毎に受信環境が変化する可能性も考慮し、曜日毎に充電レベルが閾値以上となった同調周波数を記憶しておき、曜日毎にサーチを開始する同調周波数を変更してもよい。
さらに、ステップＳ１２で充電レベルが閾値以上と判断した周波数を同調周波数として設定していたが、この場合、未サーチの周波数において充電レベルがより高い同調周波数が存在する可能性がある。このため、所定範囲の周波数をサーチし、充電レベルが最も大きな周波数を同調周波数として設定してもよい。
【００４４】
［標準電波受信処理］
次に、ステップＳ２０で実行される標準電波受信処理について説明する。
中央制御部６４は、図１０に示すように、ステップＳ２１を実行し、標準電波受信のスタンバイ処理を実行する。このスタンバイ処理では、中央制御部６４は、同調切換部３０に制御信号を出力して切換回路３６を作動し、第１スイッチ３６１、第２スイッチ３６２の接続先を標準電波受信回路部５０に切り換える。また、中央制御部６４は、表示駆動回路部７０に制御信号を出力し、秒針１３等の標準電波の受信に影響する指針の運針を停止するなど、標準電波の受信中の特別な運針処理を行う。
中央制御部６４は、ステップＳ２２を実行し、標準電波受信回路部５０に制御信号を出力して受信回路を起動する。次に、中央制御部６４は、ステップＳ２３を実行し、同調回路３１の各スイッチ３４Ａ、３４Ｂ、３５Ａ〜３５Ｆを制御して同調コンデンサーを切り換えて受信局（標準電波の種類）を選択する。受信局は、前回の標準電波受信処理に成功している場合は、前回の受信局を選択すればよい。また、前回の標準電波受信処理に失敗している場合は、予め決められた順番で受信局を選択すればよい。
【００４５】
次に、中央制御部６４は、ステップＳ２４を実行し、標準電波受信回路部５０から出力されるＴＣＯ信号に基づいて秒同期処理を行い、秒同期に成功したか否かを判定する。
中央制御部６４は、ステップＳ２４でＮＯと判定した場合、ステップＳ２５を実行し、すべての局の受信が終了したかを判断する。そして、中央制御部６４は、ステップＳ２５でＮＯと判断した場合、ステップＳ２３の受信局選択処理に戻って他の局を選択し、処理を続行する。
なお、ステップＳ２５で判定する「すべての局」とは、電波修正時計１０において受信可能な標準電波のすべて、例えば、ＪＪＹ４０、ＪＪＹ６０、ＷＷＶＢ、ＢＰＣ、ＤＣＦ７７、ＭＳＦを受信可能に設定されている場合は、これらのすべての局でもよいし、前回の受信結果によって受信可能と判断できる局のみでもよい。例えば、前回、ＭＳＦと、ＤＣＦ７７のいずれかの受信に成功している場合は、これら２つの局のみを選択してもよい。
さらに、電波修正時計１０は、日本において、ＪＪＹ４０およびＪＪＹ６０の２種類の周波数の標準電波を受信できる。この場合、充電用電波が影響し、一方の周波数の標準電波を受信できない場合がある。例えば、電波修正時計１０の近くに設置された送電器２から４０ｋＨｚ近辺の充電用電波が送信され、４０ｋＨｚの標準電波であるＪＪＹ４０の受信に失敗する場合がある。この場合、中央制御部６４は、受信局を６０ｋＨｚの標準電波を送信するＪＪＹ６０に切り換えることで、標準電波の受信に成功する可能性が高まる。したがって、前回、日本の標準電波の受信に成功している場合は、受信局としてＪＪＹ４０またはＪＪＹ６０の一方を選択し、ＪＪＹ４０またはＪＪＹ６０の一方の受信局での標準電波の受信に失敗した場合は、ＪＪＹ４０またはＪＪＹ６０の他方の受信局を選択すれば良い。
中央制御部６４は、ステップＳ２５でＹＥＳと判定した場合、標準電波を受信できる状態ではないと判断し、ステップＳ２６を実行して受信を終了する。また、標準電波受信処理の開始時に、秒針の運針を停止するなど、通常運針と異なる制御を行っている場合は、中央制御部６４は、ステップＳ２７を実行して通常運針に戻る。
【００４６】
中央制御部６４は、ステップＳ２４で秒同期に成功したと判定した場合、ステップＳ２８を実行し、タイムコードの０秒位置を示すマーカーを取得してフレーム同期を行う。例えば、日本の標準電波ＪＪＹでは、Ｐ０およびＭのマーカーが連続する部分がタイムコードの開始時点となり、この連続するマーカーを検出することでフレーム同期を確立することができる。
【００４７】
次に、中央制御部６４は、マーカーを取得してフレーム同期が確立すると、ステップＳ２９を実行し、標準電波受信回路部５０から出力されるＴＣＯ信号をデコードしてタイムコードを取得する。
次に、中央制御部６４は、ステップＳ３０を実行し、受信開始から所定時間、たとえば５分が経過したかを判断する。中央制御部６４は、ステップＳ３０でＹＥＳと判定した場合、それ以上、受信処理を継続しても標準電波を受信できる状態ではなく、電力を無駄に消費してしまうと判断して、ステップＳ２６の受信終了処理と、ステップＳ２７の通常運針処理とを実行する。
【００４８】
中央制御部６４は、ステップＳ３０でＮＯと判断した場合、ステップＳ３１を実行し、時刻データが整合するかを判断する。すなわち、中央制御部６４は、パリティビットによるチェックや、時刻データが存在しない時刻になっていないか等を判断する。
中央制御部６４は、ステップＳ３１でＹＥＳと判断した場合、ステップＳ３２を実行し、３フレームデータが一致するかを判断する。中央制御部６４は、３つの連続するタイムコードを取得して得られた各時刻データが１分間隔である場合、３フレームデータが一致すると判断する。
【００４９】
中央制御部６４は、ステップＳ３１やＳ３２でＮＯと判断した場合、ステップＳ２９のタイムコード取得処理に戻る。
中央制御部６４は、ステップＳ３２でＹＥＳと判断した場合、正確なＴＣが取得されたため、ステップＳ３３を実行して標準電波の受信動作を終了させる。この後、中央制御部６４は、ステップＳ３４を実行し、取得したタイムコードで内部時刻を修正し、ステップＳ２７の通常運針処理に戻る。
以上により、ステップＳ２０の標準電波受信処理が終了する。この標準電波受信処理が終了すると、中央制御部６４は、図８に示すように、ステップＳ２に戻ってワイヤレス充電処理を継続する。
【００５０】
［実施形態の作用効果］
このような本実施形態によれば、同調切換部３０の同調回路３１によってアンテナ２０で受信するワイヤレス電力電波の同調周波数を切り換えることができるため、ワイヤレス伝送用の特定周波数の電波を効率良く受信し、二次電池４３を効率良く充電することができる。
ワイヤレス電力電波を受信するアンテナ２０は、標準電波受信にも兼用しているので、複数のアンテナを配置する必要が無く、部品点数を少なくできる。このため、腕時計のような小型の電波修正時計１０においても実現でき、コストも低減できる。
【００５１】
定時受信時刻になると自動的に標準電波受信処理に切り替わるため、それ以外の時間帯はワイヤレス充電処理を行うことができる。このため、特に、夜間などのソーラーパネル４１による充電処理が行えない時間帯にワイヤレス充電を継続して実行でき、電波修正時計１０は、二次電池４３が充電された状態で朝から使用することができる。
【００５２】
同調回路３１は、ＩＣ外付けのコンデンサー３２Ａ、３２Ｂと、ＩＣ内のコンデンサー３３Ａ〜３３Ｆとを備えているので、コンデンサー３２Ａ、３２Ｂの容量を、コンデンサー３３Ａ〜３３Ｆに比べて容易に大きくできる。このため、周波数サーチ時に、コンデンサー３２Ａ、３２Ｂのスイッチ３４Ａ、３４Ｂをオン、オフすることによる粗サーチと、コンデンサー３３Ａ〜３３Ｆのスイッチ３５Ａ〜３５Ｆをオン、オフする詳細サーチとを併用でき、同調周波数を効率良くサーチすることができる。
【００５３】
電源制御回路部４２は、ソーラーパネル４１から供給される電力が予め設定した所定値以上の場合は、ワイヤレス充電を停止するため、整流昇圧部４０を無駄に動作させることを防止できる。すなわち、ソーラーパネル４１に光が照射されている場合は、ワイヤレス充電に比べて発電効率が高いソーラー発電を利用でき、整流昇圧部４０を作動させた場合に消費される電力を低減できるので、二次電池４３を効率的に充電できる。
【００５４】
［他の実施形態］
なお、本発明は前述の実施形態に限定されるものではなく、本発明の目的を達成できる範囲での変形、改良等は本発明に含まれるものである。
中央制御部６４は、ステップＳ１１の周波数サーチ処理を行う際に、アンテナ２０の同調周波数を、充電モードの実行時刻に応じた充電用周波数に切り換えて周波数サーチを行ってもよい。例えば、中央制御部６４は、時刻カウンター６５から現在時刻を取得でき、この現在時刻により、例えば、自宅に滞在している時間帯、通勤・通学の時間帯、会社や学校に滞在している時間帯などを判断できる。このため、送電器２の規格等が、個人による小規模利用、会社などの中規模利用、電車などの公共交通機関での大規模利用等で異なる周波数帯に設定されている場合には、現在時刻に応じて優先的にサーチする周波数を設定することで、短時間で充電用電波を受信できる可能性が高まる。この処理を実行するために、前記（１）〜（５）のサーチ処理を行い、充電レベルなどの充電状態が予め設定した条件に該当した場合は、その充電モードの実行時刻と充電用周波数とが対応付けられた充電結果を充電情報記憶部６２２に記憶し、その後のワイヤレス充電処理時に利用すればよい。
【００５５】
また、ステップＳ２０の標準電波受信処理は、定時受信時刻になった場合に限らず、外部操作部材１００によって時刻受信モードの実行操作を行った場合に実行してもよい。制御回路部６０は、ワイヤレス充電動作中であっても、切換回路３６の第１スイッチ３６１および第２スイッチ３６２を標準電波受信回路部５０側に切り換えて標準電波の受信処理を実行する。そして、標準電波の受信処理が終了した場合には、制御回路部６０は、切換回路３６の第１スイッチ３６１および第２スイッチ３６２を整流昇圧部４０側に切り換えて、充電モードを実行すればよい。
【００５６】
制御回路部６０は、制御モードとして、時刻修正モードおよび充電モードの他に、休止モードを有していてもよい。そして、制御回路部６０は、休止モードを実行した場合は、標準電波受信回路部５０および整流昇圧部４０の動作を停止すればよい。標準電波受信回路部５０および整流昇圧部４０の動作を停止するとは、前記実施形態で説明したように、各回路の電源供給用のスイッチをオフすることである。
このように、制御回路部６０は、標準電波受信回路部５０および整流昇圧部４０の動作を停止する休止モードを備えるため、標準電波受信回路部５０および整流昇圧部４０の動作による消費電力を低減できる。このため、特に、電波修正時計１０の運針なども停止するスリープモードにおいて休止モードを実行すれば、消費電力を大幅に低減できる。
なお、休止モードへの移行は、外部操作部材１００の操作によって移行してもよいし、充電モードを実行しても充電できない期間が予め設定した判定期間以上、例えば、２日以上になった場合に移行してもよい。
【００５７】
前記実施形態では、切換回路３６の出力先を切り換えた場合に、切換回路３６の出力先ではない整流昇圧部４０または標準電波受信回路部５０の動作を停止していたが、これらの各回路の動作を継続してもよい。例えば、標準電波受信処理では、標準電波を受信できない環境であれば１０〜３０秒程度で受信処理が終了する可能性がある。このため、切換回路３６の出力先が標準電波受信回路部５０に切り換えられた場合でも、整流昇圧部４０への電源供給を継続しておけば、切換回路３６の出力先が短時間で整流昇圧部４０に切り換えられた場合に、即座にワイヤレス充電動作を実行できる。
【００５８】
充電モード表示部であるインジケーター針１６は、ワイヤレス充電時に、充電レベルを指示する専用の指針であったが、他の情報を指示してもよい。例えば、インジケーター針１６を、曜日を指示する曜日針としても利用し、通常は曜日を指示し、一定時間毎あるいはユーザーによるボタン操作時に充電レベルを指示するように設定してもよい。また、インジケーター針１６は、ソーラーパネル４１による充電が行われていることを指示する機能が追加されてもよい。
さらに、充電モード表示部は、インジケーター針１６に限らず、液晶などのディスプレイで構成してもよい。
【００５９】
前記実施形態の電波修正時計１０は、ソーラーパネル４１を備えていたが、ソーラーパネル４１を備えずに、ワイヤレス充電のみで二次電池４３を充電してもよい。
【符号の説明】
【００６０】
１…アンテナ、２…送電器、１０…電波修正時計、１１…時針、１２…分針、１３…秒針、１４…時針、１５…分針、１６…インジケーター針、２０…アンテナ、２１…コア、２２…コイル、３０…同調切換部、３１…同調回路、３２Ａ…コンデンサー、３２Ｂ…コンデンサー、３３Ａ…コンデンサー、３４Ａ…スイッチ、３４Ｂ…スイッチ、３５Ａ…スイッチ、３６…切換回路、４０…整流昇圧部、４１…ソーラーパネル、４２…電源制御回路部、４３…二次電池、５０…標準電波受信回路部、６０…制御回路部、６１…ＴＣＯデコード部、６２…データ記憶部、６３…発振回路、６４…中央制御部、６５…時刻カウンター、７０…表示駆動回路部、８０…表示部、９０…針位置検出回路、１００…外部操作部材、１０１…りゅうず、１０２…ボタン、１０３…ボタン、３６１…第１スイッチ、３６２…第２スイッチ、６２１…受信時刻記憶部、６２２…充電情報記憶部、６３１…水晶振動子。
【図１】
2020071039.tif 000003
【図２】
2020071039.tif 000004
【図３】
2020071039.tif 000005
【図４】
2020071039.tif 000006
【図５】
2020071039.tif 000007
【図６】
2020071039.tif 000008
【図７】
2020071039.tif 000009
【図８】
2020071039.tif 000010
【図９】
2020071039.tif 000011
【図１０】
2020071039.tif 000012